(57)【要約】      （修正有）【課題】  保冷温容器として良好な保冷温効果を発揮し、しかも再加熱や再冷却も良好に行える保冷温容器を提供する。【解決手段】  少なくとも側壁部１Ａに断熱多層構造を有する容器本体１の底壁部１Ｂに一層構造部２が設けられ、この一層構造部２には断熱構造体３が着脱自在に設けられたものである。具体的には、容器本体１の底壁部１Ｂには、中央位置に真空断熱二層構造により周囲が囲繞された円形状の一層構造部２が設けられており、この凹部４に内部が真空の断熱構造体３を着脱自在に嵌合配設し、必要に応じ取り外し加熱手段により加熱することを可能とした。【選択図】      図２
2005289435.tif 000002
【特許請求の範囲】
【請求項１】
少なくとも側壁部に断熱多層構造を有する容器本体の底壁部に一層構造部が設けられ、この一層構造部には断熱構造体が着脱自在に設けられていることを特徴とする保冷温容器。
【請求項２】
請求項１記載の保冷温容器において、前記断熱構造体は一層構造部の外側に設けられていることを特徴とする保冷温容器。
【請求項３】
請求項１，２いずれか１項に記載の保冷温容器において、前記断熱構造体は一層構造部の全面を覆う状態で設けられていることを特徴とする保冷温容器。
【請求項４】
請求項１〜３いずれか１項に記載の保冷温容器において、前記一層構造部は前記容器本体の底壁部に形成された凹部に設けられ、断熱構造体はこの凹部に嵌合されるものであることを特徴とする保冷温容器。
【請求項５】
請求項１〜４いずれか１項に記載の保冷温容器において、前記断熱構造体として内部に断熱層を有する断熱構造体を採用したことを特徴とする保冷温容器。
【請求項６】
請求項１〜５いずれか１項に記載の保冷温容器において、前記断熱構造体の断熱層は空間であることを特徴とする保冷温容器。
【請求項７】
請求項１〜６いずれか１項に記載の保冷温容器において、前記容器本体は容量が７００ｃｃ〜１０００ｃｃ程度であることを特徴とする保冷温容器。
【発明の詳細な説明】
【技術分野】
【０００１】
本発明は、保冷温容器に関するものである。
【背景技術】
【０００２】
近年、７００ｃｃ〜１０００ｃｃ程度の容量を有する小型の保冷温容器（以下、従来例という。）が人気である。
【０００３】
この従来例は、容器本体を外瓶と内瓶とから成る二層構造とし、更に、この外瓶と内瓶との間を真空断熱層にしたものであり、小型で保冷温性を有し、少量の沸かしたお湯やコーヒーなどを入れておくのに便利である。
【発明の開示】
【発明が解決しようとする課題】
【０００４】
ところが、従来例は、真空断熱二層構造であるとは言え、大型のものに比し、容積が小さい分だけ中に入れた暖かいものが冷めるのも早く（液量が少なければそれだけ熱量が小さく保温効力が小さい。）、よって、暖め直さなければならない場合があり、その場合には他の容器に移し替えて行わなければならず厄介である。
【０００５】
仮にそのままコンロにかけることができたとしても、容器本体の底壁部は真空断熱二層構造であるため伝熱されにくく暖めにくいという問題がある。
【０００６】
本出願人は、上述の問題点に着目し、従来にない作用効果を発揮する画期的な保冷温容器を開発した。
【課題を解決するための手段】
【０００７】
添付図面を参照して本発明の要旨を説明する。
【０００８】
少なくとも側壁部１Ａに断熱多層構造を有する容器本体１の底壁部１Ｂに一層構造部２が設けられ、この一層構造部２には断熱構造体３が着脱自在に設けられていることを特徴とする保冷温容器に係るものである。
【０００９】
また、請求項１記載の保冷温容器において、前記断熱構造体３は一層構造部２の外側に設けられていることを特徴とする保冷温容器に係るものである。
【００１０】
また、請求項１，２いずれか１項に記載の保冷温容器において、前記断熱構造体３は一層構造部２の全面を覆う状態で設けられていることを特徴とする保冷温容器に係るものである。
【００１１】
また、請求項１〜３いずれか１項に記載の保冷温容器において、前記一層構造部２は前記容器本体１の底壁部１Ｂに形成された凹部４に設けられ、断熱構造体３はこの凹部４に嵌合されるものであることを特徴とする保冷温容器に係るものである。
【００１２】
また、請求項１〜４いずれか１項に記載の保冷温容器において、前記断熱構造体３として内部に断熱層を有する断熱構造体３を採用したことを特徴とする保冷温容器に係るものである。
【００１３】
また、請求項１〜５いずれか１項に記載の保冷温容器において、前記断熱構造体３の断熱層は空間であることを特徴とする保冷温容器に係るものである。
【００１４】
また、請求項１〜６いずれか１項に記載の保冷温容器において、前記容器本体１は容量が７００ｃｃ〜１０００ｃｃ程度であることを特徴とする保冷温容器に係るものである。
【発明の効果】
【００１５】
本発明は上述のように構成したから、保冷温容器として良好な保冷温効果を発揮し、しかも、例えば断熱構造体を取り外すことで再加熱や再冷却も良好に行えることになるなど極めて商品価値の高い画期的な保冷温容器となる。
【発明を実施するための最良の形態】
【００１６】
好適と考える本発明の実施形態を、図面に基づいて本発明の作用を示して簡単に説明する。
【００１７】
本発明は、容器本体１の底壁部１Ｂの一層構造部２に断熱構造体３を装着した状態においては、一層構造部２が断熱機能を具備することになる。
【００１８】
従って、容器本体１は、暖かいものを入れた場合には良好な保温効果を発揮し、冷たいものを入れた場合には良好な保冷効果を発揮する。
【００１９】
仮に、容器本体１に入れた暖かいものについて暖め直しする必要が生じた場合、容器本体１の底壁部１Ｂから断熱構造体３を取り外し、露出状態となった一層構造部２を介して加熱手段の熱を伝えて容器本体１に入れたものを加熱すると、容器本体１の内容物は良好に加熱される。
【００２０】
従って、容器本体１に入れたものに対して加熱したり冷却したりする必要が生じた場合、一層構造部２を露出させ、加熱や冷却を熱伝導性の高い一層構造部２を介して行うことができるから、それだけ容器本体１に入れた内容物に対する良好な加熱や冷却が行なわれることになる。
【００２１】
また、断熱構造体３は、容器本体１の底壁部１Ｂが単なる一層構造であった場合に危惧される結露の発生も確実に防止し得ることになる。
【実施例】
【００２２】
本発明の具体的な実施例について図面に基づいて説明する。
【００２３】
本実施例は、少なくとも側壁部１Ａに断熱多層構造を有する容器本体１の底壁部１Ｂに一層構造部２が設けられ、この一層構造部２には断熱構造体３が着脱自在に設けられたものである。
【００２４】
具体的には、容器本体１は、図１，２に図示したように底部を開口した外瓶５内に底部を有する内瓶６を設け、外瓶５と内瓶６の上部開口部同士を接合するとともに、外瓶５の下端部と内瓶６の底部６ａの裏面所定位置とを連結部材７を介して連結し、この外瓶５と内瓶６と連結部材７との間に形成された空間を真空空間としている。
【００２５】
従って、容器本体１は、外瓶５と内瓶６とから成る側壁部１Ａが真空断熱二層構造であり、且つ、内瓶６の底部６ａと連結部材７とで構成される底壁部１Ｂの一部も真空断熱二層構造となる。
【００２６】
また、容器本体１の底壁部１Ｂは、その中央位置にして前述した真空断熱二層構造により周囲が囲繞された所定面積を有する円形状の一層構造部２が設けられている。
【００２７】
この一層構造部２は、図１，２に図示したように内瓶６の底部６ａが露出するように設けて構成されており、板材の一層構造である為、周囲の真空断熱二層構造である部位に比して熱伝導性は良好である。
【００２８】
従って、この一層構造部２を介して容器本体１に入れたものを加熱したり冷却したりすることができる。
【００２９】
また、一層構造部２は、その周囲にして連結部材７には該容器本体１を囲繞状態で底部材８が設けられており、この底部材８及び連結部材７により、容器本体１の底壁部１Ｂの一部（中央）には一層構造部２を底部とする凹部４が形成されている。
【００３０】
この凹部４は、後述する断熱構造体３を着脱自在に嵌合配設するための部位として機能する。
【００３１】
尚、本実施例では、内瓶６の底部６ａを露出するように設けて一層構造部２を構成したが、底部を有する外瓶５内に底部を開口した内瓶６を設ける構造とし、外瓶５の底部を露出するように設けて一層構造部２を構成したり、或いは、外瓶５及び内瓶６で断熱二層構造の側壁部１Ａを構成し、この側壁部１Ａの下部に板材を設けて底壁部１Ｂとする構成などでも良いのは勿論である。
【００３２】
断熱構造体３は、図１，２に図示したように平面視円形状の中空箱状体であり、その内部は真空空間となるように設けられている。
【００３３】
この断熱構造体３は、前述した容器本体１の底壁部１Ｂに設けた凹部４に着脱自在に嵌合配設し得るように構成されており、該凹部４に装着した際、一層構造部２を覆うように構成されている。
【００３４】
従って、容器本体１の底壁部１Ｂに設けた凹部４に断熱構造体３を装着することで、容器本体１の底壁部１Ｂは良好な断熱機能を発揮することになる。
【００３５】
尚、本実施例では、容器本体１の側壁部１Ａ，底壁部１Ｂの一部及び断熱構造体３の断熱構造として、部材同志間を真空層とする真空断熱構造を採用したが、例えば各空間に断熱材料を充填して構成したり、各材料を断熱性の高い素材と熱伝導性の高い素材とを使い分けるようにしても良いなど、本実施例の特性を発揮する構成であれば適宜採用するものである。
【００３６】
符号９は、容器本体１の上部開口部を閉塞する注ぎ機能付の蓋体、10は把手である。
【００３７】
また、本実施例では、専用の加熱手段11を設けている。
【００３８】
この加熱手段11は、図３，４に図示したように本体部11ａの上部に電気が流れることで発熱する発熱部11ｂを具備するものであり、この発熱部11ｂは前述した容器本体１の底壁部１Ｂに設けた凹部４に嵌合し得るように構成されている。
【００３９】
また、この発熱部11ｂは、容器本体１の底壁部１Ｂに設けた凹部４に嵌合させた際、その上面が一層構造部２に当接するように構成されている。
【００４０】
従って、この加熱手段11を使用することで容器本体１に入れたものを良好に加熱することができ、しかも、この加熱手段11の発熱部11ｂは容器本体１の底壁部１Ｂに設けた凹部４に嵌合させる構成であるから、容器本体１と発熱部11ｂとの位置ズレは確実に防止されることになる。
【００４１】
尚、加熱手段11の他に、容器本体１の底壁部１Ｂに設けた凹部４に嵌合する冷却部を設けた冷却手段を設けると一層便利である。
【００４２】
本実施例は上述のように構成したから、容器本体１の底壁部１Ｂの一層構造部２に断熱構造体３を装着した状態においては、一層構造部２が断熱機能を具備することになる。
【００４３】
従って、容器本体１は、暖かいものを入れた場合には良好な保温効果を発揮し、冷たいものを入れた場合には良好な保冷効果を発揮する。
【００４４】
仮に、容器本体１に入れた暖かいものについて暖め直しする必要が生じた場合、容器本体１の底壁部１Ｂから断熱構造体３を取り外し、露出状態となった一層構造部２を介して加熱手段の熱を伝えて容器本体１に入れたものを加熱すると、容器本体１の内容物は良好に加熱される。
【００４５】
よって、本実施例によれば、容器本体１に入れたものに対して加熱したり冷却したりする必要が生じた場合、一層構造部２を露出させ、加熱や冷却を熱伝導性の高い一層構造部２を介して行うことができるから、それだけ容器本体１に入れた内容物に対する良好な加熱や冷却が行なわれることになる。
【００４６】
また、本実施例は、断熱構造体３は、容器本体１の底壁部１Ｂが単なる一層構造であった場合に危惧される結露の発生も確実に防止し得ることになる。
【００４７】
また、本実施例は、断熱構造体３は一層構造部２の外側に設けられているから、断熱構造体３の着脱が良好に行なえることになる。
【００４８】
また、本実施例は、断熱構造体３は一層構造部２の前面を覆う状態で設けられているから、良好な断熱効果が得られることになる。
【００４９】
また、本実施例は、一層構造部２は容器本体１の底壁部１Ｂに形成された凹部４に設けられ、断熱構造体３はこの凹部４に嵌合されるものであるから、断熱構造体３の着脱が簡易且つ確実に行なわれることになり、しかも、この凹部４に断熱構造体３を嵌合した際には良好な断熱構造が得られることになる。
【００５０】
また、本実施例は、断熱構造体３として内部に断熱層を有する断熱構造体３を採用し、断熱構造体３の断熱層は空間としたから、良好な断熱効果が得られるのは勿論、簡易構造にして量産性に秀れることになる。
【００５１】
また、本実施例は、容器本体１は容量が７００ｃｃ〜１０００ｃｃ程度であるから、前述した本実施例に係る構造は、再加熱、再冷却が良好に行なえるものであり、よって、比較的、暖かいものが冷め易く、冷たいものは温まり易い７００ｃｃ〜１０００ｃｃ程度のような容量の少ない容器に適用した場合には特に有効である。
【００５２】
尚、本発明は、本実施例に限られるものではなく、各構成要件の具体的構成は適宜設計し得るものである。
【図面の簡単な説明】
【００５３】
【図１】本実施例に係る要部を説明する断面図である。
【図２】本実施例に係る要部を説明する断面図である。
【図３】本実施例の使用状態説明図である。
【図４】本実施例の使用状態説明図である。
【符号の説明】
【００５４】
１  容器本体
１Ａ  側壁部
１Ｂ  底壁部
２  一層構造部
３  断熱構造体
【図１】
2005289435.tif 000003
【図２】
2005289435.tif 000004
【図３】
2005289435.tif 000005
【図４】
2005289435.tif 000006